(57)【要約】      （修正有）【課題】何らの動力源を要することなく、簡易な操作にて滞留するルアーへのアプローチを可能とし、ルアー回収率の向上を図るルアー回収治具を提供する。【解決手段】ルアー回収治具は、浮力を有する複数の中空シャフト１０ａ、１０ｂ・・・と、回収操作紐ＳＴと、先頭の中空シャフト１０ａの先端に設けられた回収チェーンＣＨと、複数の中空シャフト間の連接部における回収操作紐に取り付けられ、釣り糸が挿通されるガイドリングＧＲｂと、を備え、回収操作紐は、先端の回収チェーンから複数の中空シャフト及びガイドリングのそれぞれを交互に介して、後端の中空シャフト１０ｉの末端部から引き出されると共に、複数の中空シャフトを伸長／屈曲可能に接続している。【選択図】図１
0003227370.tif 000002
【実用新案登録請求の範囲】
【請求項１】
根掛かり等で水中に滞留したルアーを回収するルアー回収治具であって、
浮力を有する複数の中空シャフトと、
前記複数の中空シャフトに挿通されている回収操作紐と、
前記複数の中空シャフトの内、先頭の中空シャフトの先端に設けられた回収チェーンと、
前記複数のシャフト間の連接部における前記回収操作紐に取り付けられ、釣り糸が挿通されるガイドリングと、
を備え、
前記回収操作紐は、先端の前記回収チェーンから前記複数の中空シャフト及び前記ガイドリングのそれぞれを交互に介して、後端の中空シャフトの末端部から引き出されていると共に、前記複数の中空シャフトを伸長／屈曲可能に接続していることを特徴とするルアー回収治具。
【考案の詳細な説明】
【技術分野】
【０００１】
本考案は、水中の障害物や沈殿物に引っ掛かったルアー（疑似餌）等を回収するためのルアー回収治具に関するものである。
【背景技術】
【０００２】
従来、ルアー（疑似餌）を用いるルアーフィッシングにおいては、水中の岩や消波ブロックなどの障害物や沈殿物にルアーが引っ掛かって、いわゆる根掛かりが生じる場合がある。このような根掛かりが生じた場合には、釣り糸を引っ張っただけでは上記根掛かりを解消させることができず、止むを得ず釣り糸を切断して高価な釣り用の仕掛けやルアーを水中に廃棄するケースが生じていた。そこで、本考案者は、このような根掛かりを解消してルアーを回収する装置を提案している（例えば、特許文献１参照）。
【０００３】
ここで、特許文献１には、先細り形状の中空シャフトと、当該中空シャフトの水中での推進を可能とする駆動源とを備え、中空シャフトの先端に突設された回収チェーンを着脱可能とするチェーン着脱部と、中空シャフトの底面に釣り糸が挿通されて当該釣り糸に沿った移動を案内するガイド部と、中空シャフトの後端に設けられ、回収ラインが取り付けられるライン接続部とを有し、駆動源を駆動しない状態で、かつ、回収チェーンを接続した状態で、中空シャフトが水面に浮くように、中空シャフト内に中空空間が設定形成されている動力式ルアー回収装置が開示されている。
【先行技術文献】
【特許文献】
【０００４】
【特許文献１】特開２０１９−１００４９号公報
【考案の概要】
【考案が解決しようとする課題】
【０００５】
しかしながら、例えば、特許文献１に記載された先行技術では、動力源としての電源が必須となり、これに伴う防水性能を確保する必要が生じ、部品点数の増大に伴う大型化、コストアップといった問題が生じていた。
【０００６】
本考案は、上述のような従来技術の問題点に鑑みてなされたものであり、何らの動力源を要することなく、簡易な操作にて滞留するルアーへの水面方向からのアプローチを可能とし、ルアー回収率の向上を図ることができるルアー回収治具を簡易な構成で安価に提供することを目的とする。
【課題を解決するための手段】
【０００７】
上記目的を達成するために、本考案に係るルアー回収治具は、根掛かり等で水中に滞留したルアーを回収するルアー回収治具であって、浮力を有する複数の中空シャフトと、
前記複数の中空シャフトに挿通されている回収操作紐と、前記複数の中空シャフトの内、先頭の中空シャフトの先端に設けられた回収チェーンと、前記複数のシャフト間の連接部における前記回収操作紐に取り付けられ、釣り糸が挿通されるガイドリングと、を備え、前記回収操作紐は、先端の前記回収チェーンから前記複数の中空シャフト及び前記ガイドリングのそれぞれを交互に介して、後端の中空シャフトの末端部から引き出されていると共に、前記複数の中空シャフトを伸長／屈曲可能に接続していることを特徴とするものである。
【０００８】
このように構成した場合には、種々の根掛かりに対して、何らの動力を必要とせず簡易な操作にてアプローチが可能となり、滞留ルアーの回収率の大幅な向上を簡易な構成にて実現することができる。
【考案の効果】
【０００９】
本考案によれば、何らの動力源も必要とすることなく簡易な構成及び操作にて滞留するルアーへのアプローチを可能とし、ルアー回収率の向上を実現することができる。
【図面の簡単な説明】
【００１０】
【図１】本考案の一実施形態に係るルアー回収治具の構成を示す模式図である。
【図２】本考案の一実施形態に係るルアー回収治具の先端部の構成を拡大して示す模式的斜視図である。
【図３】本考案の一実施形態に係るルアー回収治具の連接部の構成を拡大して示す模式的斜視図である。
【図４】本考案の一実施形態に係るルアー回収治具の使用状態を示す模式図である。
【考案を実施するための形態】
【００１１】
以下に、本考案に係るルアー回収治具の一実施形態について、図面を参照して説明する。ここで、図１はルアー回収治具の構成を示す模式図、図２はその先端部を示す拡大図、図３はその連接部を示す拡大図である。
【００１２】
図１に模式的に示すように、本実施形態に係るルアー回収治具１は、断面矩形状（角筒状）の複数（本例では、９個）の中空シャフト１０ａ,１０ｂ,１０ｃ・・・１０ｉが折り畳み可能（伸長／屈曲可能）に接続されている。
【００１３】
本実施の形態において、各中空シャフト１０ａ,１０ｂ,１０ｃ・・・１０ｉは均等の長さ（約１ｍ）に形成されている。材質としては、ポリエチレン、ポリ塩化ビニ−ル、ポリカーボネ−ト等の合成樹脂やそれ自身が浮力を有する硬質発泡樹脂等で形成することができる。さらに、水中での視認性を向上させるために、例えば、蓄光性を有する合成樹脂にて形成してもよいし、蛍光塗料を塗布してもよい。
【００１４】
そして、図２に拡大して示すように、本実施の形態では、先頭の中空シャフト１０ａの先端に、根掛かりで滞留するルアーＬＵに絡めてその回収を図るための、回収チェーンＣＨが取り付けられている。
【００１５】
また、図３に拡大して示すように、各中空シャフト１０ａ,１０ｂ,１０ｃ・・・１０ｉは、その中を挿通された回収操作紐ＳＴにより接続（連接）されており、断面矩形状（角筒状）のそれぞれの中空シャフト１０ａ,１０ｂ,１０ｃ・・・１０ｉの一面には、浮力を増大させるために、発泡コア等の平板状の発泡部材（浮力部材）１０ｆｍが貼付されている。なお、図３では、中空シャフト１０ａ,１０ｂ,１０ｃ・・・１０ｉとして角筒状の形状を例示しているが、この形状に限定されるものではなく、円筒状等任意の形状を採用することができる。また、材質としてそれ自体浮力を有する硬質発泡樹脂等を採用した場合には、上記発泡部材１０ｆｍを省略することができる。
【００１６】
さらに、隣接する中空シャフト１０ｎ，１０ｎ＋１の連接部の回収操作紐ＳＴには、開閉ゲートｇｔを有して釣り糸Ｓを装着（挿通）するためのフック状のガイドリング（カラビナリング）ＧＲｎが取り付けられている。なお、本実施の形態において、先頭の中空シャフト１０ａには、その先端部側面に、ガイドリングＧＲａが取り付けられていると共に、そのシャフト径は、先端の比較的重量のある回収チェーンＣＨを浮かせるために他のシャフト１０ｂ〜１０ｉに比し、太く形成されている（図１参照）。
【００１７】
次に、本実施の形態に係るルアー回収治具１を用いたルアー回収方法について、図４を参照して説明する。
【００１８】
まず、根掛かりが生じた場合、先頭の中空シャフト１０ａのガイドリングＧＲａの開閉ゲートｇｔを開いて釣り糸Ｓを挿通する。
【００１９】
続いて、中空シャフト１０ｂ，１０ｃ・・・を、先端の回収チェーンＣＨが滞留ルアーＬＵに到達するまで、各ガイドリングＧＲｂ，ＧＲｃ・・・に釣り糸Ｓを挿通させて順次接続していく。なお、滞留ルアーＬＵに到達したか否かは、手元の（末端の中空シャフト１０の端部から引き出された）回収操作紐ＳＴｅを伸縮操作することにより、中空シャフト１０ａ,１０ｂ,１０ｃ・・・１０ｉを伸長／屈曲させつつ、回収チェーンＣＨを釣り糸Ｓに沿って推進（移動）させていくことにより、滞留ルアーＬＵに到達した際の回収チェーンＣＨの引っ掛かり（感触）により判断することができる。
【００２０】
以上、本実施の形態に係るルアー回収治具によれば、種々の根掛かり（例えば、岩や消波ブロック等の障害物に挟み込まれた根掛かり、絡み具合が軽度の根掛かり、絡み具合が重度の根掛かり等）に対して、何らの動力を必要とせず簡易な操作にてアプローチが可能となり、滞留ルアーＬＵの回収率の大幅な向上を簡易な構成にて実現することができる。
【００２１】
なお、本考案の技術的範囲は上述した各実施の形態に限定されるものではなく、本考案の要旨に逸脱しない範囲において多様な変更もしくは改良を加え得るものである。例えば、本考案に係るルアー回収治具及び回収方法は、ルアーＬＵのみならず水中に滞留したエギ等に対しても当然に適用することができる。
【符号の説明】
【００２２】
１          ルアー回収治具
１０ａ,１０ｂ,１０ｃ・・・    中空シャフト
１０ｆｍ    浮力部材
ＣＨ        回収チェーン
ＧＲ        ガイドリング
ＧＲａ      ガイドリング
ＧＲｂ，ＧＲｃ・・・          ガイドリング
ＬＵ        滞留ルアー
Ｓ          釣り糸
ＳＴ        回収操作紐
ｇｔ        開閉ゲート
【図１】
0003227370.tif 000003
【図２】
0003227370.tif 000004
【図３】
0003227370.tif 000005
【図４】
0003227370.tif 000006